(57)【要約】【課題】既存の構造を極力維持しながら、目視可能範囲を狭めることなく、環境による劣化防止対策や盗難防止対策を施しつつ周辺確認を良好に行うことができる転圧機械のモニタ装置を提供する。【解決手段】運転席に設けられた計器盤(16)を覆うよう開閉可能に設けられ、非運転時には閉じて計器盤上の計器類を保護する一方、運転時には開くことでオペレータによる転圧機械の周囲の可視限界(24)を狭めない所定位置に保持される計器盤保護カバー(20)と、計器盤保護カバーの該計器盤保護カバーが閉じたときに計器盤に臨む面に設けられ、該計器盤保護カバーが上記所定位置にまで開き保持された状態でオペレータが表示画面を視認可能なモニタ(26)とを備える。【選択図】図２
2018134941.tif 000002
【特許請求の範囲】
【請求項１】
運転席に設けられた計器盤を覆うよう開閉可能に設けられ、非運転時には閉じて前記計器盤上の計器類を保護する一方、運転時には開くことでオペレータによる転圧機械の周囲の可視限界を狭めることなく所定位置に保持される計器盤保護カバーと、
前記計器盤保護カバーの該計器盤保護カバーが閉じたときに前記計器盤に臨む面に設けられ、該計器盤保護カバーが前記所定位置にまで開き保持された状態でオペレータが表示画面を視認可能なモニタと、
を備えた転圧機械のモニタ装置。
【請求項２】
前記所定位置は、前記計器盤保護カバーの該計器盤保護カバーが閉じたときに前記計器盤に臨む面がオペレータ側に向く位置である、請求項１に記載の転圧機械のモニタ装置。
【請求項３】
前記モニタは、前記表示画面の向きを可変である、請求項１または２に記載の転圧機械のモニタ装置。
【請求項４】
転圧機械の周辺の状況を撮影し監視する監視カメラを有し、
前記モニタは、前記監視カメラにより撮影された映像を前記表示画面に表示する、請求項１〜３の何れか一項に記載の転圧機械のモニタ装置。
【請求項５】
前記監視カメラは、転圧機械の後方の状況を撮影し監視する後方監視カメラであり、
前記モニタは、前記後方監視カメラにより撮影された映像を前記表示画面に表示する、請求項４に記載の転圧機械のモニタ装置。
【発明の詳細な説明】
【技術分野】
【０００１】
本発明は、転圧機械のモニタ装置に係り、特にモニタを運転席に搭載する技術に関する。
【背景技術】
【０００２】
道路舗装工事では、オペレータが搭乗し運転をして、凝固前のアスファルトを平らにしながら締固める装置として、前後輪に締固め用ローラを採用した車両型の転圧機械が広く用いられている。このような転圧機械では、特に後輪の接地部付近の目視が容易ではなく、締固め範囲の細かい調整が難しいという問題がある。
【０００３】
この場合、例えば後方監視カメラを転圧機械の後部に設置し、後方監視カメラからの映像を運転室内のモニタに表示することで、後方を監視する技術が開発されている（特許文献１）。
【先行技術文献】
【特許文献】
【０００４】
【特許文献１】特開２００９−１６７７４８号公報
【発明の概要】
【発明が解決しようとする課題】
【０００５】
しかしながら、上記特許文献１に開示される技術では、モニタを運転室内の任意の位置に取り付けるようにしているところ、運転室を構成する屋根や窓、壁などがなく、運転席と外部との隔たりがないような転圧機械においては、特許文献１に開示される位置にモニタを取り付けようとする場合、モニタを取り付けるために別途ピラーを設置する必要があり好ましいことではない。
【０００６】
更に、このような転圧機械では、モニタが雨や埃、紫外線等の環境に晒されることで劣化したり、オペレータが離れる転圧機械の非作動時においてモニタが盗難に遭う虞もある。これらの対策として、オペレータが転圧機械から離れる際にモニタを取り外すことが考えられるが、取り外して持ち歩くことによりモニタを紛失する虞があり、簡単に取り外せるとモニタを却って盗み易いという問題がある。
【０００７】
本発明はこのような課題に鑑みてなされたものであり、その目的とするところは、既存の構造を極力維持しながら、目視可能範囲を狭めることなく、環境による劣化防止対策や盗難防止対策を施しつつ周辺確認を良好に行うことができる転圧機械のモニタ装置を提供することにある。
【課題を解決するための手段】
【０００８】
上記の目的を達成するため、本発明の転圧機械のモニタ装置は、運転席に設けられた計器盤を覆うよう開閉可能に設けられ、非運転時には閉じて前記計器盤上の計器類を保護する一方、運転時には開くことでオペレータによる転圧機械の周囲の可視限界を狭めることなく所定位置に保持される計器盤保護カバーと、該計器盤保護カバーが閉じたときに前記計器盤に臨む面に設けられ、該計器盤保護カバーが前記所定位置にまで開き保持された状態でオペレータが表示画面を視認可能なモニタとを備えたことを特徴とする。
【０００９】
これにより、計器盤保護カバーを開いたときに視認可能となり、計器盤保護カバーを閉じたときに計器盤保護カバーに覆われるようにモニタを設置することで、転圧機械を使用する際には計器盤保護カバーを開けると、オペレータによる転圧機械の周囲の可視限界を狭めることなく計器盤とモニタとを一度に視認可能となり、転圧機械を駐機する際には計器盤保護カバーを閉じることで、計器盤とモニタとを一度に覆うことが可能とされる。
【００１０】
その他の態様として、前記所定位置は、前記計器盤保護カバーの該計器盤保護カバーが閉じたときに前記計器盤に臨む面がオペレータ側に向く位置であるのがよい。これにより、オペレータがモニタを容易に視認可能とされる。
【００１１】
また、前記モニタは、前記表示画面の向きを可変であるのが好ましい。これにより、オペレータの身長や着席位置に応じてモニタの表示画面を見やすい向きに変えることが可能とされる。
【００１２】
さらに、転圧機械の周辺の状況を撮影し監視する監視カメラを有し、前記モニタは、前記監視カメラにより撮影された映像を前記表示画面に表示するのが好ましい。これにより、目視では確認しにくい転圧機械の周辺の状況を容易に視認可能とされる。
【００１３】
特に、前記監視カメラは、転圧機械の後方の状況を撮影し監視する後方監視カメラであり、前記モニタは、前記後方監視カメラにより撮影された映像を前記表示画面に表示するのが好ましい。これにより、特に目視では確認しにくい転圧機械の後方の状況を容易に視認可能とされる。
【発明の効果】
【００１４】
本発明の転圧機械のモニタ装置によれば、モニタを計器盤保護カバーの該計器盤保護カバーが閉じたときに計器盤に臨む面に設置するので、既存の構造を変更することなく安価にモニタを設置しつつ、モニタを開いた状態では、オペレータによる転圧機械の周囲の可視限界、即ち目視可能範囲を狭めることなく、モニタを視認でき、例えば転圧機械の周辺、特に後方の状況をモニタで容易に確認するようにでき、転圧機械を駐機する際には計器盤保護カバーでモニタを覆い隠すようにでき、良好にモニタの環境による劣化防止対策や盗難防止対策を施すことができる。
【図面の簡単な説明】
【００１５】
【図１】本発明の実施形態に係るモニタ装置を搭載した転圧機械を横方向から見た概略構成図である。
【図２】計器盤保護カバーが開かれた状態のモニタ装置の概略構成図である。
【図３】計器盤保護カバーが閉じられた状態のモニタ装置の概略構成図である。
【図４】第２実施形態に係る２つのモニタを横並びに設けた場合の概略構成図である。
【図５】第３実施形態に係る折りたたみ式モニタが設けられた計器盤保護カバーを搭載したモニタ装置の概略構成図である。
【発明を実施するための形態】
【００１６】
以下、図面に基づき本発明の一実施形態について説明する。
図１は、本発明に係るモニタ装置を搭載した転圧機械（例えば、タイヤローラ）１を横方向から見た概略構成図である。
【００１７】
転圧機械１は、前輪ローラ４と後輪ローラ５を備え、運転席には、オペレータ９が座るシート１０、前輪ローラ４を転舵するためのステアリングホイール１３、転圧機械１の走行速度や燃料の量などの転圧機械１の情報を出力する計器や各種操作スイッチ類を有する計器盤１６が設けられている。そして、駐機時における計器盤１６の雨や埃、紫外線等の環境による劣化を防止したり、いたずら等を防止するため、計器盤保護カバー２０が搭載されている。詳しくは、計器盤保護カバー２０は、シート１０と反対側となる計器盤１６の前部を支点に転圧機械１の前後方向に開閉可能であり、閉じた状態で計器盤１６に臨む面が計器盤１６上の計器類と干渉しないよう、当該計器盤１６に臨む面と計器盤１６の表面との間には所定の空間を有して構成されている。
【００１８】
転圧機械１は、道路の舗装工事に用いられ、地面やアスファルトを平らにし、押し固めて道路を舗装する機械である。より詳しくは、転圧機械１は、前輪ローラ４と後輪ローラ５で地面やアスファルトを平らにしながら押し固め、前輪ローラ４を転舵させて、進行方向を調整しながら前進あるいは後退し、道路の舗装をする。
【００１９】
このような転圧機械１では、オペレータ９は、シート１０に座った状態で、視点２３から周囲の状況を確認しながら転圧機械１の運転操作を行う。なお、視点２３からの可視限界２４のうち、転圧機械１の前部の形状に起因して、前方可視下限２４ａより下の部分、および転圧機械１の後部の形状に起因して、後方可視下限２４ｂより下の部分は目視にて確認できない範囲となっている。従って、計器盤保護カバー２０は、開いた状態で上端が前方可視下限２４ａより下になるように配設され、また、転圧機械１の後部には、転圧機械１の後方のうち主に後方可視下限２４ｂより下の死角の範囲を撮影するバックカメラ（後方監視カメラ）８が搭載されている。
【００２０】
図２を参照すると、計器盤保護カバー２０が開かれ所定位置に保持された状態のモニタ装置の概略構成図が示されている。ここでは、所定位置は、計器盤保護カバー２０が開かれ保持された状態で、計器盤１６に臨む面がオペレータ９側を向くような位置に規定されている。
【００２１】
モニタ装置は、計器盤保護カバー２０の計器盤１６に臨む面のうちオペレータ９が視認可能な位置に、バックカメラ８の映像を表示するモニタ２６を配設して構成されている。モニタ２６は、例えば液晶パネルで構成されている。より詳しくは、モニタ２６は、計器盤保護カバー２０を開いた状態で、計器盤保護カバー２０の端面と計器盤１６の上端縁部との間の部分に位置するようにして、計器盤保護カバー２０の計器盤１６に臨む面に取り付けられている。
【００２２】
なお、モニタ２６については、オペレータ９が見やすい角度になるように画面の向きを変えることが可能に構成してもよい。
【００２３】
図３を参照すると、計器盤保護カバー２０が閉じられた状態のモニタ装置の概略構成図が示されている。
【００２４】
上述したようにモニタ２６は計器盤保護カバー２０の計器盤１６に臨む面に取り付けられており、計器盤保護カバー２０の計器盤１６に臨む面と計器盤１６の表面との間には所定の空間を有しているので、計器盤保護カバー２０は、閉じることで計器盤１６と共にモニタ２６をも覆うことが可能に構成されている。これにより、計器盤保護カバー２０が閉じているときには、計器盤１６やモニタ２６が雨や埃、紫外線等の環境に晒されることを防止可能であり、また、計器盤保護カバー２０を例えば錠３０で施錠することで、モニタ２６のいたずらや盗難を防止することが可能である。
【００２５】
以上のように、モニタ２６を計器盤保護カバー２０の計器盤１６に臨む面に設置し、計器盤保護カバー２０を開いたときに視認可能となり、計器盤保護カバー２０を閉じたときに計器盤保護カバー２０に覆われるようにモニタ装置を構成するようにした。これにより、転圧機械１を使用する際には、計器盤保護カバー２０を開くことで、計器盤１６とモニタ２６を一度に視認でき、転圧機械１の後方の状況をモニタ２６で容易に確認できる。一方、転圧機械１を駐機する際には、計器盤保護カバー２０を閉じることで、計器盤１６とモニタ２６を一度に覆い隠すことができ、モニタ２６のいたずらや盗難を好適に防止することができる。
【００２６】
また、計器盤保護カバー２０の計器盤１６に臨む面にモニタ２６を設置するので、例えば計器盤１６にモニタ２６を設置する場合に比べ、既存の構造を変更することなくモニタ２６を設置することができる。
【００２７】
また、モニタ２６は、開いた状態で、計器盤保護カバー２０の端面と計器盤１６の上端縁部との間に位置されるので、計器盤保護カバー２０を開いたときのオペレータ９の可視限界２４を狭めることもない。
【００２８】
また、モニタ２６の表示画面の向きを可変とすることにより、オペレータ９の身長や着席位置に応じてモニタ２６の表示画面を見やすい向きに調節することができる。
【００２９】
次に、図４及び図５を用いて本発明の別実施形態について説明する。
図４を参照すると、２つのモニタ２６、２７を横並びに設けた場合の概略構成図が示されており、同図に基づき第２実施形態について説明する。なお、上記同様の構成部分については説明を省略し、異なる部分についてのみ説明する。
【００３０】
２つのモニタ２６、２７は、横並びにして、計器盤保護カバー２０の計器盤１６に臨む面に上述の一つのモニタ２６と同様に配設され、それぞれ異なる映像を表示することが可能に構成されている。
【００３１】
これにより、上記同様の作用効果を奏しつつ、例えば、転圧機械１の後方以外に死角となる転圧機械１の周辺の他の部分を撮影する監視カメラ（図示せず）を設け、一方のモニタ２６にはバックカメラ８からの映像を表示し、他方のモニタ２７には上記監視カメラからの他の部分の映像を表示したり、その他の情報を表示することが可能である。
【００３２】
図５を参照すると、折りたたみ式モニタ２８を設けた場合の概略構成図が示されており、同図に基づき第３実施形態について説明する。
【００３３】
折りたたみ式モニタ２８は、上側モニタ２８ａ及び下側モニタ２８ｂで構成されている。例えば、下側モニタ２８ｂは、上記モニタ２６と同様に計器盤保護カバー２０の計器盤１６に臨む面に取り付けられる。一方、上側モニタ２８ａは、蝶番２９を介して計器盤保護カバー２０の端部に取り付けられており、蝶番２９回りに約１８０°回動可能にして、下側モニタ２８ｂと画面同士が重なるように折りたたむことが可能に構成されている。
【００３４】
このような構成の折りたたみ式モニタ２８により、上記同様の作用効果を奏しつつ、計器盤保護カバー２０を開いたとき、上側モニタ２８ａを蝶番２９回りに回動させて画面を出現させ、上側モニタ２８ａと下側モニタ２８ｂとでそれぞれ異なる映像を表示することが可能である。例えば、後方可視下限２４ｂより上方を撮影する監視カメラ（図示せず）を設け、下側モニタ２８ｂにはバックカメラ８の映像を表示し、上側モニタ２８ａには上記監視カメラによる後方可視下限２４ｂより上方の映像を表示することが可能である。これにより、オペレータ９が前方を向いたまま、直感的に後方可視下限２４ｂより上方の映像と、後方可視下限２４ｂより下方の映像とを視認することができる。
【００３５】
なお、この場合、オペレータ９の視界を狭めないようにするため、前方可視下限２４ａより下側に上側モニタ２８ａの上端が位置するように折りたたみ式モニタ２８を配設することが望ましい。
【００３６】
以上で本発明に係るモニタ装置の説明を終えるが、本発明は上記実施形態に限られるものではない。
【００３７】
例えば、バックカメラ８で撮影する範囲は、後方可視下限２４ｂより下の部分にこだわらず、例えば転圧機械の後方全体であってもよい。
【００３８】
また、上記実施形態では、計器盤保護カバー２０が開かれ保持された状態では、計器盤保護カバー２０の計器盤１６に臨む面、ひいてはモニタ２６、２７や折りたたみ式モニタ２８がオペレータ９側を向くように設定されているが、オペレータ９がモニタを視認可能であれば、計器盤保護カバー２０の計器盤１６に臨む面は必ずしもオペレータ９側を向いていなくてもよい。
【００３９】
また、モニタ２６、２７や折りたたみ式モニタ２８に表示する主たる映像は、バックカメラ８からの転圧機械の後方の映像に限られず、転圧機械１の周辺、例えば前方可視下限２４ａより下の部分を撮影する監視カメラ（図示せず）を設け、当該範囲の映像を主たる映像として表示するようにしてもよい。
【符号の説明】
【００４０】
１  転圧機械
４  前輪ローラ
５  後輪ローラ
８  バックカメラ（後方監視カメラ）
９  オペレータ
１０  シート
１３  ステアリングホイール
１６  計器盤
２０  計器盤保護カバー
２３  視点
２４  可視限界
２４ａ  前方可視下限
２４ｂ  後方可視下限
２６  モニタ
２７  モニタ
２８  折りたたみ式モニタ
２８ａ  上側モニタ
２８ｂ  下側モニタ
【図１】
2018134941.tif 000003
【図２】
2018134941.tif 000004
【図３】
2018134941.tif 000005
【図４】
2018134941.tif 000006
【図５】
2018134941.tif 000007